【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
下記一般式（１’）で表わされる構造を有する色素化合物を少なくとも一種と、水とを含有することを特徴とする着色液。
2006257410.tif 000001
［式（１’）中、Ｒ1とＲ3はそれぞれ、エチル基を表わし、Ｒ2とＲ4はそれぞれ、置換されている下記のアラルキル基を表わし、Ｒ5及びＲ6はそれぞれ独立して、水素原子及びアルキル基の何れかを表わす。又、Ｒ7は、水素原子又はスルホン酸基を表わし、Ｒ8は、水素原子又は置換されていてもよいアミノ基を表わし、下記Ｒ9及びＲ10はそれぞれ独立して、水素原子、アルキル基、アリール基及びアラルキル基の何れかを表わす。ここでＲ9及びＲ10は、窒素原子とともに複素環を形成してもよい。Ａｎは、カウンターアニオンを表わすが、分子中にカウンターアニオンが存在するときはＡｎは不要である。］
2006257410.tif 000002
【請求項２】
色素化合物が、下記一般式（２）で表わされる構造を有する請求項１に記載の着色液。
2006257410.tif 000003
［式中、Ｒ9及びＲ10はそれぞれ独立して、水素原子、アルキル基、アリール基及びアラルキル基の何れかを表わす。ここでＲ9及びＲ10は、窒素原子とともに複素環を形成してもよい。］
【請求項３】
色素化合物が、下記一般式（２’）で表わされる構造を有する請求項１に記載の着色液。
2006257410.tif 000004
［式（２’）中、Ｒ9及びＲ10はそれぞれ独立して、水素原子、アルキル基、アリール基及びアラルキル基の何れかを表わす。ここでＲ9及びＲ10は、窒素原子とともに複素環を形成してもよい。Ａｎは、カウンターアニオンを表わす。］
【請求項４】
更に分散剤を含有する請求項１乃至３の何れか１項に記載の着色液。
【請求項５】
請求項１乃至４の何れか１項に記載の着色液からなることを特徴とするインクジェット記録方式用着色液。
【請求項６】
請求項５に記載の着色液を収納しているインク収納部を有していることを特徴とするインクタンク。
【請求項７】
請求項５に記載の着色液を収容しているインク収容部と、該着色液の液滴を吐出させるためのヘッド部が設けられていることを特徴とする記録ユニット。
【請求項８】
請求項５に記載の着色液と、該着色液を吐出させるためのインクジェット記録ヘッドを有していることを特徴とするインクジェット記録装置。
【請求項９】
請求項５に記載の着色液をインクジェット法で被記録媒体に吐出する工程を有することを特徴とするインクジェット記録方法。
【手続補正２】
【補正対象書類名】明細書
【補正対象項目名】０００９
【補正方法】変更
【補正の内容】
【０００９】
上記目的は以下の本発明によって達成される。即ち、本発明は、下記一般式（１）で示される構造を有する色素化合物の中でも好適な、下記一般式（１’）で表わされる構造を有する色素化合物を少なくとも一種と、水とを含有することを特徴とする着色液である。
2006257410.tif 000005
【手続補正３】
【補正対象書類名】明細書
【補正対象項目名】００１０
【補正方法】変更
【補正の内容】
【００１０】
［式（１）中、Ｒ1乃至Ｒ4はそれぞれ独立して、水素原子、置換されていてもよいアルキル基、置換されていてもよいアリール基及び置換されていてもよいアラルキル基の何れかを表わし、Ｒ5及びＲ6はそれぞれ独立して、水素原子及びアルキル基の何れかを表わす。又、Ｒ7及びＲ8はそれぞれ独立して、水素原子、スルホン酸基、置換されていてもよいアミノ基、若しくは−ＳＯ2ＮＲ9Ｒ10の何れかを表わし、上記Ｒ9及びＲ10はそれぞれ独立して、水素原子、アルキル基、アリール基及びアラルキル基の何れかを表わす。ここでＲ9及びＲ10は、窒素原子とともに複素環を形成してもよい。又、ｎは、１乃至３の整数を表わす。更に、上記Ｒ7及びＲ8の何れもが−ＳＯ2ＮＲ9Ｒ10ではない場合には、上記Ｒ1乃至Ｒ4のうち少なくとも１つが、置換基として−ＳＯ2ＮＲ9Ｒ10を有するアルキレン基、アリーレン基、若しくはアラルキレン基である。Ａｎは、カウンターアニオンを表わすが、分子中にカウンターアニオンが存在するときはＡｎは不要である。］
2006257410.tif 000006
［式（１’）中、Ｒ1とＲ3はそれぞれ、エチル基を表わし、Ｒ2とＲ4はそれぞれ、置換されている下記のアラルキル基を表わし、Ｒ5及びＲ6はそれぞれ独立して、水素原子及びアルキル基の何れかを表わす。又、Ｒ7は、水素原子又はスルホン酸基を表わし、Ｒ8は、水素原子又は置換されていてもよいアミノ基を表わし、下記Ｒ9及びＲ10はそれぞれ独立して、水素原子、アルキル基、アリール基及びアラルキル基の何れかを表わす。ここでＲ9及びＲ10は、窒素原子とともに複素環を形成してもよい。Ａｎは、カウンターアニオンを表わすが、分子中にカウンターアニオンが存在するときはＡｎは不要である。］
2006257410.tif 000007
【手続補正４】
【補正対象書類名】明細書
【補正対象項目名】００１１
【補正方法】変更
【補正の内容】
【００１１】
上記本発明の着色液においては、前記一般式（１’）で示される構造を有する色素化合物が、下記一般式（２）で示される構造を有すること、又は、下記一般式（２’）で示される構造を有すること、更に分散剤を含有することが好ましい。
2006257410.tif 000008
［式（２）中、Ｒ9及びＲ10はそれぞれ独立して、水素原子、アルキル基、アリール基及びアラルキル基の何れかを表わす。ここでＲ9及びＲ10は、窒素原子とともに複素環を形成してもよい。］
2006257410.tif 000009
［式（２’）中、Ｒ9及びＲ10はそれぞれ独立して、水素原子、アルキル基、アリール基及びアラルキル基の何れかを表わす。ここでＲ9及びＲ10は、窒素原子とともに複素環を形成してもよい。Ａｎは、カウンターアニオンを表わす。］
【手続補正５】
【補正対象書類名】明細書
【補正対象項目名】００６５
【補正方法】変更
【補正の内容】
【００６５】
以下、実施例、参考例、比較例及び参考比較例を挙げて、本発明を具体的に説明するが、本発明はこれらの実施例に何ら限定されるものではない。尚、文中「部」及び「％」とあるのは特に断りのない限り質量基準である。
【手続補正６】
【補正対象書類名】明細書
【補正対象項目名】００７０
【補正方法】変更
【補正の内容】
【００７０】
［実施例２］
実施例１で使用した前記式（１０）で示される色素化合物を、前記一般式（２’）に含まれる下記式（１１）で示される色素化合物に変更した以外は、実施例１と同様の操作により、水性インクを作成した。
【手続補正７】
【補正対象書類名】明細書
【補正対象項目名】００７２
【補正方法】変更
【補正の内容】
【００７２】
［実施例３］
実施例１で使用した前記式（１０）で示される色素化合物を、前記一般式（２）に含まれる下記式（１２）で示される色素化合物に変更した以外は、実施例１と同様の操作により、水性インクを作成した。
【手続補正８】
【補正対象書類名】明細書
【補正対象項目名】００７４
【補正方法】変更
【補正の内容】
【００７４】
＜着色液の作成方法２＞
［参考例１］
実施例１で使用した前記式（１０）で示される色素化合物２部をテトラヒドロフランとシクロヘキサノンの１対１の混合溶液１０部に加えて、十分に攪拌して溶解して、色素濃度２％に調整した油性インクを作成した。
【手続補正９】
【補正対象書類名】明細書
【補正対象項目名】００７５
【補正方法】変更
【補正の内容】
【００７５】
［参考例２］
参考例１で使用した前記式（１０）で示される色素化合物を、前記一般式（２’）に含まれる前記式（１１）で示される色素化合物に変更した以外は、参考例１と同様の操作により、油性インクを作成した。
【手続補正１０】
【補正対象書類名】明細書
【補正対象項目名】００７６
【補正方法】変更
【補正の内容】
【００７６】
［参考例３］
参考例１で使用した前記式（１０）で示される色素化合物を、前記一般式（２）に含まれる前記式（１２）で示される色素化合物に変更した以外は、参考例１と同様の操作により、油性インクを作成した。
【手続補正１１】
【補正対象書類名】明細書
【補正対象項目名】００７９
【補正方法】変更
【補正の内容】
【００７９】
［参考比較例１］
参考例１で使用した前記式（１０）で示される色素化合物を、Ｃ．Ｉ．Ｓｏｌｖｅｎｔ  Ｂｌｕｅ  ５５に変更した以外は、参考例１と同様の操作により、油性インクを作成した。
【手続補正１２】
【補正対象書類名】明細書
【補正対象項目名】００８１
【補正方法】変更
【補正の内容】
【００８１】
又、上記で得た参考例１〜３及び、参考比較例１の油性インクを、それぞれキヤノン（株）製写真光沢紙プロフェッショナルフォトペーパー（ＰＲ−１０１紙）上に、バーコーター（Ｎｏ．３）を用いてバーコーター法により塗工して記録物を得た。次に、得られた記録物を２４時間自然乾燥した。
【手続補正１３】
【補正対象書類名】明細書
【補正対象項目名】００８４
【補正方法】変更
【補正の内容】
【００８４】
2006257410.tif 000010
【手続補正１４】
【補正対象書類名】明細書
【補正対象項目名】００８５
【補正方法】変更
【補正の内容】
【００８５】
表１に示した評価結果より、以下のことが確認された。実施例１のインク或いは実施例２のインク或いは実施例３のインクと、比較例１のインクと、比較例２のインクとの評価結果の比較から、水性インクについては、前記一般式（１’）に含まれる式（１０）、前記一般式（２’）に含まれる式（１１）及び前記一般式（２）に含まれる式（１２）で示される色素化合物を含有するインクで得られる画像は彩度及び耐水性共に良好であることが確認された。
【手続補正１５】
【補正対象書類名】明細書
【補正対象項目名】００８６
【補正方法】変更
【補正の内容】
【００８６】
又、参考例１のインク或いは参考例２のインク或いは参考例３のインクと、参考比較例１のインクとの評価結果の比較から、油性インクについては、前記一般式（１’）に含まれる式（１０）、前記一般式（２’）に含まれる式（１１）及び前記一般式（２）に含まれる式（１２）で示される色素化合物を含有するインクで得られる画像は彩度が良好であることが確認された。